(57)【要約】【課題】可動接点としてのドーム状金属板の良好な動作特性を得ることができる小形、薄形で接触信頼性の高い１段動作タイプ及び２段動作タイプの横押し型プッシュスイッチを提供する。【解決手段】押しボタン１１の移動方向の操作力をドーム状金属板の動作方向に変換する傾斜部９ａと、この傾斜部９ａをドーム状金属板の動作方向に移動させる可撓性を持ったヒンジ部９ｂと、ドーム状金属板を押し下げる押圧部９ｃと、を一体に形成した押し子９を備える。またドーム状金属板６，７をその動作方向に２段で設置する。【選択図】  図２
2008034329.tif 000002
【特許請求の範囲】
【請求項１】
押しボタンの操作部が側部より突出すると共に、可動接点にばね性を持ったドーム状金属板を用い、前記操作部の押圧操作に伴う前記押しボタンの移動方向の操作力を前記押しボタンの移動方向とは垂直方向のドーム状金属板の動作方向に変換する横押し型プッシュスイッチであって、前記押しボタンの移動方向の操作力を前記ドーム状金属板の動作方向に変換する傾斜部と、この傾斜部を前記ドーム状金属板の動作方向に移動させる可撓性を持ったヒンジ部と、前記ドーム状金属板を押し下げる押圧部と、を一体に形成した押し子を備えたことを特徴とする横押し型プッシュスイッチ。
【請求項２】
前記押し子が前記押しボタンをその移動方向に案内支持するガイド体に前記ヒンジ部で繋がれて一体に形成されている請求項１に記載の横押し型プッシュスイッチ。
【請求項３】
前記押しボタンに可動ストッパが一体に形成され、前記ガイド体に前記可動ストッパを受け止めて前記操作部の押圧操作に伴う前記押しボタンの移動を決められた位置で規制する固定ストッパが一体に形成されている請求項２に記載の横押し型プッシュスイッチ。
【請求項４】
前記押し子自体に前記傾斜部より緩傾斜の傾斜を持たせている請求項３に記載の横押し型プッシュスイッチ。
【請求項５】
前記押し子が前記可動ストッパと前記固定ストッパによる前記押しボタンの移動規制時に前記ドーム状金属板の設置面と略平行になる請求項４に記載の横押し型プッシュスイッチ。
【請求項６】
前記ドーム状金属板をその動作方向に２段で設置したことを特徴とする請求項１乃至５の何れか１の横押し型プッシュスイッチ。
【発明の詳細な説明】
【技術分野】
【０００１】
本発明は、例えば携帯電話機や携帯オーディオプレーヤ等の側面操作用の操作スイッチとして用いられる小形・薄形の横押し型プッシュスイッチに関する。
【背景技術】
【０００２】
この種の横押し型プッシュスイッチでは、その小形、薄形を実現するために基板への実装を面実装で行い、可動接点にばね性を持ったドーム状金属板を用いるものが多く、横方向の操作力をその操作方向とは垂直方向に変換してドーム状金属板に伝達し、そのドーム状金属板を押し下げて動作させるようになっている。
【０００３】
このような従来の横押し型プッシュスイッチとしては、特許文献１で示すものが知られており、１枚のドーム状金属板がハウジングの内底面に設置され、押しボタンはハウジングに支持され、ハウジングの側部より突出した操作部の押圧操作に伴いドーム状金属板の動作方向とは垂直方向に案内されて移動する。そして、押しボタンに操作部と一直線上で一体に形成する可撓性を持ったヒンジ部と、ハウジングに取り付くカバーに一体に形成し押しボタンの移動方向の操作力をドーム状金属板の動作方向に変換する傾斜部と、を備え、ヒンジ部の先端が傾斜部上で摺動することで、操作部の押圧操作に伴う押しボタンの移動方向の操作力を押しボタンの移動方向とは垂直方向のドーム状金属板の動作方向に変換している。
【特許文献１】特開２００５−１２２９８９号公報
【発明の開示】
【発明が解決しようとする課題】
【０００４】
上記のように従来の横押し型プッシュスイッチは、横方向の操作力をその操作方向とは垂直方向のドーム状金属板の動作方向に変換する部品（傾斜部）と、その部品をドーム状金属板の動作方向に移動させる部品（ヒンジ部）と、を別体に備えているので、操作力をそのままドーム状金属板に伝達し得ず、それに加えて、ドーム状金属板の略中心部を精度よく押圧し得ないため、ドーム状金属板の良好な動作特性を得ることが難しい。
【０００５】
また、傾斜部とヒンジ部とが別体で、それぞれの支持がハウジングで行われ、傾斜部とヒンジ部との位置精度が悪いことも、ドーム状金属板の良好な動作特性を得る上での障害となっている。
【０００６】
さらに、操作部の押圧操作に伴う押しボタンの移動規制（ストローク規制）もまたハウジングとの間で行われ、ドーム状金属板の過剰な押し下げを招く押しボタンのオーバーストロークを精度よく制限し得ないことも、ドーム状金属板の良好な動作特性を得る上での障害となっている。
【０００７】
また、ヒンジ部は略水平姿勢から撓んで弾性変形しながら下方向に押し下げられて、ドーム状金属板を押し下げ、最終的にドーム状金属板をその設置面に対して傾いた傾斜姿勢でドーム状金属板の動作状態を保持するため、接触信頼性に欠ける面がある。
【０００８】
ところで、携帯電話機や携帯オーディオプレーヤ等の小形、薄形化に加え、その多機能化が進む中で、従来の横押し型プッシュスイッチは、１枚のドーム状金属板を用い、１段階で１種類のスイッチ回路を開閉操作する１段動作タイプであるため、２枚のドーム状金属板をその動作方向に２段で備え、２段階で２種類のスイッチ回路を開閉操作する２段動作タイプの横押し型プッシュスイッチが強く求められている。
【０００９】
しかしながら、２段動作タイプの場合、１段動作タイプよりヒンジ部の動作ストローク（ドーム状金属板の押し下げストローク）が長くなるため、上記のような問題が顕著に現れる。それに加えて、ヒンジ部の動作ストロークを長くするためには、傾斜部を大きくする必要があり、そのことが製品の厚みを厚くするという致命的な問題を生じる。
【００１０】
本発明は、上記のような問題に鑑みてなされたもので、その第１の目的は、ドーム状金属板の良好な動作特性を得ることができる小形、薄形で接触信頼性の高い横押し型プッシュスイッチを提供することにある。
【００１１】
また、第２の目的は、ドーム状金属板の良好な動作特性を得ることができる小形、薄形で接触信頼性の高い２段動作タイプの横押し型プッシュスイッチを提供することにある。
【課題を解決するための手段】
【００１２】
上記の第１の目的を達成するために本発明の横押し型プッシュスイッチは、押しボタンの操作部が側部より突出すると共に、可動接点にばね性を持ったドーム状金属板を用い、前記操作部の押圧操作に伴う前記押しボタンの移動方向の操作力を前記押しボタンの移動方向とは垂直方向のドーム状金属板の動作方向に変換する横押し型プッシュスイッチであって、前記押しボタンの移動方向の操作力を前記ドーム状金属板の動作方向に変換する傾斜部と、この傾斜部を前記ドーム状金属板の動作方向に移動させる可撓性を持ったヒンジ部と、前記ドーム状金属板を押し下げる押圧部と、を一体に形成した押し子を備えたことを特徴とするもので、この構成を採用することにより、操作力をそのままドーム状金属板に伝達し、ドーム状金属板の略中心部を精度よく押圧し、ドーム状金属板の良好な動作特性を得る。
【００１３】
また、前記押し子が前記押しボタンをその移動方向に案内支持するガイド体に前記ヒンジ部で繋がれて一体に形成されている構成を付加することにより、押しボタンと傾斜部との位置精度を良くし、ドーム状金属板の良好な動作特性を得る。
【００１４】
また、前記押しボタンに可動ストッパが一体に形成され、前記ガイド体に前記可動ストッパを受け止めて前記操作部の押圧操作に伴う前記押しボタンの移動を決められた位置で規制する固定ストッパが一体に形成されている構成を付加することにより、ドーム状金属板の過剰な押し下げを招く押しボタンの過剰な移動（オーバーストローク）を精度よく制限し、ドーム状金属板の良好な動作特性を得る。
【００１５】
また、前記押し子自体に前記傾斜部より緩傾斜の傾斜を持たせている構成を付加することにより、１段動作タイプでは傾斜部を小さくしながら、押し子に必要な動作ストロークを得られるようにし、一方、２段動作タイプでは傾斜部を大きくすることなく、押し子の動作ストロークを長くできるようにする。
【００１６】
また、前記押し子が前記可動ストッパと前記固定ストッパによる前記押しボタンの移動規制時に前記ドーム状金属板の設置面と略平行になる構成を付加することにより、押し子がドーム状金属板の動作状態をその設置面に対して略平行になる姿勢で保持し、高い接触信頼性を得る。
【００１７】
上記の第２の目的を達成するために本発明の横押し型プッシュスイッチは、上記の第１の目的を達成するための本発明の横押し型プッシュスイッチに、前記ドーム状金属板をその動作方向に２段で設置したことを特徴とするもので、製品の厚みを厚くすることなく、２段動作タイプの横押し型プッシュスイッチを得る。
【発明の効果】
【００１８】
以上のように本発明の横押し型プッシュスイッチによれは、ドーム状金属板の良好な動作特性を得ることができる小形、薄形で接触信頼性の高い横押し型プッシュスイッチを提供することができる。
【００１９】
また、ドーム状金属板の良好な動作特性を得ることができる小形、薄形で接触信頼性の高い２段動作タイプの横押し型プッシュスイッチを提供することができる。
【発明を実施するための最良の形態】
【００２０】
以下、本発明の一実施の形態を図面に基づいて説明する。図１は本発明の一実施の形態による横押し型プッシュスイッチの平面図、図２は同横押し型プッシュスイッチの断面図、図３は同横押し型プッシュスイッチの組み立て図である。
【００２１】
図１〜図３に示すように、本発明の一実施の形態による横押し型プッシュスイッチ１は、２段階で２種類のスイッチ回路を開閉操作する２段動作タイプであり、インサート成形等により第１，第２，第３の３つの固定接点端子２，３，４と一体に形成された合成樹脂製で絶縁性を持ったハウジング５と、第１，第２の２つの可動接点として用いる第１，第２の２枚のばね性を持ったドーム状金属板６，７と、固定ストッパ８及び押し子９を一体に形成した合成樹脂製で絶縁性を持ったガイド体１０と、横方向から押圧操作される合成樹脂製で絶縁性を持った押しボタン１１と、スイッチケースをハウジング５とで形成するカバー１２とから構成される。
【００２２】
ハウジング５は、上面開口状の箱型に形成され、その内底面に段付き凹部５ａが形成され、この段付き凹部５ａの外周段差面に第１固定接点端子２の一部が略面一に露出されて第１固定接点としてのコモン接点２ａが形成され、また段付き凹部５ａの底面外側部に第２固定接点端子３の一部が略面一に露出されて第２固定接点としての第１選択接点３ａが形成され、さらに段付き凹部５ａの底面中心部に第３固定接点端子４の一部が略面一に露出されて第３固定接点としての第２選択接点４ａが形成される。
【００２３】
各固定接点端子２，３，４は、導電性の金属薄板を打ち抜き及び曲げ加工して形成され、各固定接点端子２，３，４の一端部がハウジング５の外部に取り出され、横押し型プッシュスイッチ１の面実装用に図示しない外部接続端子を形成する。この外部接続端子は図示しないプリント回路基板に半田付けで固定、接続する。
【００２４】
また、ハウジング５の４側壁のうちの１つの側壁（左側壁）の中央上部には、押しボタン突出用に凹状の切り欠き５ｂが形成される。さらに、ハウジング５の上面側の４隅には、カバー位置決め用に上方へ突出する突起５ｃが形成されると共に、ハウジング５の４側壁には、カバー固定用の係合爪５ｄと係合溝５ｅが形成される。係合爪５ｄは切り欠き５ｂを形成した側壁の両端上部とその側壁に対向する側壁外面の中央上部とに外方へ突出して形成され、係合溝５ｅは残りの対向する２つの側壁の外面中央部に形成される。係合溝５ｅの下端部はハウジング５の外底面に沿って内側に屈曲形成される。ハウジング５の外底面には、図示しないプリント回路基板に対する位置決め用に突起５ｆが形成される。
【００２５】
第１，第２のドーム状金属板６，７は、導電性の金属薄板（ばね用金属材料）からなり、第１ドーム状金属板６が段付き凹部５ａの外周部段差面に支持され、第２ドーム状金属板７が段付き凹部５ａの底面に支持され、第１，第２のドーム状金属板６，７がハウジング５の段付き凹部５ａに上下２段で設置される。第１ドーム状金属板６はその外側部がコモン接点２ａと常時接触する。第２ドーム状金属板７はその外側部が第１選択接点３ａと常時接触し、中心部が第２選択接点４ａと対向する。
【００２６】
図４の（Ａ）はガイド体の平面図、（Ｂ）は（Ａ）のＡ−Ａ線断面図、図５の（Ａ）はガイド体に押しボタンをセットした状態の平面図、（Ｂ）は（Ａ）の底面図、（Ｃ）は（Ａ）のＡ−Ａ線断面図である。
【００２７】
図１〜図５に示すように、ガイド体１０は、平面視コ字状に形成されたベース板部１０ａと、このベース板部１０ａの両端辺部の外側縁から立ち上げたガイド壁部１０ｂとを一体に形成し、ベース板部１０ａ中間辺部の外側面がハウジング５の切り欠き５ｂを形成した側壁下部内面と接触し、ベース板部１０ａ両端辺部の外側面とガイド壁部１０ｂの外側面がハウジング５の切り欠き５ｂを形成した側壁に隣接する２つの側壁内面と接触し、ベース板部１０ａ両端辺部の端面がハウジング５の切り欠き５ｂを形成した側壁と対向する側壁の内面と接触した状態で、第１ドーム状金属板６を覆わないようにハウジング５の段付き凹部５ａの周囲にある内底面の上に配置され、ガイド壁部１０ｂの上側面をカバー１２で押えて固定される。
【００２８】
また、各ガイド壁部１０ｂの中央上部には、押しボタン１１の移動規制用に凹状の切り欠き１０ｃが形成され、この各切り欠き１０ｃの一側（右側）の側端面が押しボタン１１の移動を規制する固定ストッパ８になっている。
【００２９】
さらに、押し子９は、押しボタン１１の移動方向の操作力を第１，第２ドーム状金属板６，７の動作方向に変換する傾斜部９ａと、この傾斜部９ａを第１，２ドーム状金属板６，７の動作方向に移動させる可撓性を持ったヒンジ部９ｂと、第１，第２ドーム状金属板６，７を押し下げる押圧部９ｃを一体に形成したもので、この押し子９がベース板部１０ａの中間辺部の中央部にヒンジ部９ｂで繋がれ、ベース板部１０ａの中間辺部の中央部からガイド壁部１０ｂの間に、傾斜部９ａより緩傾斜の傾斜角θを持たせて片持ち梁状に突出され、傾斜部９ａがハウジング５の切り欠き５ｂの内側に配置されると共に、押圧部９ｃが第１ドーム状金属板６の上に配置される。
【００３０】
押しボタン１１は、平面視コ字状に形成された基板部１１ａと、この基板部１１ａ中間辺部の中央外側面から突出した操作部１１ｂと、基板部１１ａ中間辺部の両端外側面でなる肩部１１ｃとを一体に形成し、操作部１１ｂがハウジング５の切り欠き５ｂから外方へ突出すると共に、肩部１１ｃがハウジング５の切り欠き５ｂを形成した側壁の切り欠き５ｂの両側にある内面と対向し、基板部１１ａ下面がベース板部１０ａの上面と接触し、基板部１１ａ両端辺部の外側面がガイド壁部１０ｂの内面と接触した状態で、ガイド体１０によって支持され、基板部１１ａ上面をカバー１２で摺動自在に押えて、操作部１１ｂの押圧操作方向に沿って移動案内される。
【００３１】
また、基板部１１ａの内側には下側から押し子１１の傾斜部９ａが突出し、この傾斜部９ａと対向する基板部１１ａ中間辺部の中央内側面が、傾斜部９ａに接触して摺動しながら押し子１１を押し下げる押し子押し下げ部１１ｄになっている。
【００３２】
さらに、基板部１１ａ両端辺部の端部外側面には、外方へ突出してガイド体１０のガイド壁部１０ｂに形成された切り欠き１０ｃに嵌り込み、操作部１１ｂの押圧操作に伴う押しボタン１１の移動時に固定ストッパ８で受け止めて、押しボタン１１の移動を決められた位置で規制する可動ストッパ１１ｅが一体に形成される。
【００３３】
カバー１２は、導電性の金属板を打ち抜き及び曲げ加工して形成され、ハウジング５の上面を覆う平板状の上側板１２ａと、この上側板１２ａの４隅に形成され、ハウジング５の突起５ｃと嵌合するカバー位置決め用の切り欠き１２ｂと、上側板１２ａの対向する２側縁から下向きに延出され、下端部をハウジング５の係合爪５ｄに下側から係止させてカバー１２を固定する第１係止部１２ｃと、上側板１２ａの残りの対向する２側縁から下向きに延出され、ハウジング５の係合溝５ｅに嵌合した状態で、下端部をハウジング５の外底面に下側から係止させてカバー１２を固定する第２係止部１２ｄとを備える。
【００３４】
図３に示すように、本発明の一実施の形態による横押し型プッシュスイッチ１の組み立ては、ハウジング５の段付き凹部５ａに第１，第２ドーム状金属板５，６を上下２段で設置した後、段付き凹部５ａの周囲にある内底面の上に固定ストッパ８及び押し子９を一体に形成したガイド体１０を配置し、ハウジング５の切り欠き５ｂに押しボタン１１の操作部１１ｂを嵌合すると共に、ガイド体１０の切り欠き１０ｃに押しボタン１１の可動ストッパ１１ｅを嵌合しながら、押しボタン１１の基板部１１ａをガイド体１０のベース板部１０ａの上に重ねて配置し、最後にカバー１２を上方から嵌着してハウジング５に位置決め及び係止させることにより完了する。
【００３５】
図６は本発明の一実施の形態による横押し型プッシュスイッチの１段目のスイッチ動作後（第１ドーム状金属板動作後）の状態を示す断面図、図７は同横押し型プッシュスイッチの２段目のスイッチ動作後（第２ドーム状金属板動作後）の状態を示す断面図である。図２及び図６，図７に基づいて本発明の一実施の形態による横押し型プッシュスイッチの動作を説明する。
【００３６】
図２は横押し型プッシュスイッチ１の動作前の状態を示し、押しボタン１１を操作しない動作前の状態では、押しボタン１１は、肩部１１ｃがハウジング５の切り欠き５ｂを形成した側壁の切り欠き５ｂの両側にある内面に当接すると共に、可動ストッパ１１ｅがガイド体１０のガイド壁部１０ｂに形成された切り欠き１０ｃ内の左端部に位置し、押し子押し下げ部１１ｄが押し子９の傾斜部９ａを押圧しない位置に保持されるので、押し子９は、そのヒンジ部９ｂに殆ど弾性変形を受けずに略自由状態の傾斜姿勢で保持される。
【００３７】
また、第１ドーム状金属板６と第２ドーム状金属板７とは、それぞれ上向きに膨らんだ状態で離間すると共に、第２ドーム状金属板７は第２選択接点４ａと離間している。ここで、押し子９の押圧部９ｃは、第１ドーム状金属板６の上面略中心部で上方向へ押される。これに伴い、押し子９がその自由状態の傾斜角θよりややきつい傾斜角の傾斜姿勢に保持され、押圧部９ｃの下端と第１ドーム状金属板６の上面略中心部とが接触保持される。
【００３８】
この状態から、押しボタン１１の操作部１１ｂを図２の右方向へ押圧すると、図６に示すように、押し子押し下げ部１１ｄが右方向に移動して押し子９の傾斜部９ａを右方向に押圧すると共に、傾斜部９ａの表面を摺動する。これに伴い、押し子９はヒンジ部９ｂで撓んで弾性変形しながら下方向に押し下げられるので、押圧部９ｃが第１ドーム状金属板６の上面略中心部を押し下げ操作する。
【００３９】
これによって、第１ドーム状金属板６は下向きに反転動作して、下側の第２ドーム状金属板７と接触するため、コモン接点２ａと第１選択接点３ａが第１，第２ドーム状金属板６，７を通じて導通して１段目の第１スイッチがオンとなる。
【００４０】
この状態から、押しボタン１１の操作部１１ｂをさらに右方向へ押圧すると、図７に示すように、押し子押し下げ部１１ｄはさらに右方向に移動して押し子９の傾斜部９ａをさらに右方向に押圧すると共に、傾斜部９ａの表面をさらに摺動する。これに伴い、押し子９はヒンジ部９ｂでさらに撓んで弾性変形しながらさらに下方向に押し下げられるので、この押圧部９ｃが第１ドーム状金属板６を介して第２ドーム状金属板７の上面略中心部を押し下げ操作する。
【００４１】
これによって、第２ドーム状金属板７は下向きに反転動作して第２選択接点４ａと接触するため、コモン接点２ａと第２選択接点４ａが第１，第２ドーム状金属板６，７を通じて導通して２段目の第２スイッチが１段目の第１スイッチに続いてオンとなる。
【００４２】
この時、押しボタン１１の可動ストッパ１１ｅはガイド体１０のガイド壁部１０ｂに形成された切り欠き１０ｃ内の右端部に移動し、ガイド体１０の固定ストッパ８で受け止められ、操作部１１ｂの押圧操作に伴う押しボタン１１の移動を規制すると共に、第１，第２ドーム状金属板６，７の過剰な押し下げを招く押しボタン１１の過剰な移動（オーバーストローク）を制限する。これに伴い、押し子９が第１，第２ドーム状金属板６，７の動作状態をその設置面に対して略平行になる略水平姿勢で保持する。なお、操作部１１ｂが押圧操作されて第２ドーム状金属板７と第２選択接点４ａが接触している間は第１，第２スイッチのオン状態を保つ。
【００４３】
この状態から、操作部１１ｂの押圧操作力を除くと、ヒンジ部９ｂの弾性復帰力によって押し子９が図６のスイッチ動作前の状態に復帰すると共に、押しボタン１１も図６のスイッチ動作前の状態に復帰する。この時、押し子９の復帰に伴い、第１，第２ドーム状金属板６，７がそのばね力によりそれぞれ上向きに反転動作し、第２ドーム状金属板７が第２選択接点４ａより離間して第２スイッチがオフとなり、続いて第１ドーム状金属板６が第２ドーム状金属板７と離間して第１スイッチがオフとなる。
【００４４】
上記のように、本発明の一実施の形態による横押し型プッシュスイッチ１は、押しボタン１１の操作部１１ｂが側部より突出すると共に、可動接点にばね性を持ったドーム状金属板６，７を用い、前記操作部１１ｂの押圧操作に伴う前記押しボタン１１の移動方向の操作力を前記押しボタン１１の移動方向とは垂直方向のドーム状金属板６，７の動作方向に変換する横押し型プッシュスイッチであって、前記押しボタン１１の移動方向の操作力を前記ドーム状金属板６，７の動作方向に変換する傾斜部９ａと、この傾斜部９ａを前記ドーム状金属板６，７の動作方向に移動させる可撓性を持ったヒンジ部９ｂと、前記ドーム状金属板６，７を押し下げる押圧部９ｃと、を一体に形成した押し子９を備えたことにより、操作力をそのままドーム状金属板６，７に伝達でき、それに加えて、ドーム状金属板６，７の略中心部を精度よく押圧できるので、ドーム状金属板６，７の良好な動作特性を得ることができる。
【００４５】
また、前記押し子９が前記押しボタン１１をその移動方向に案内支持するガイド体１０に前記ヒンジ部９ｂで繋がれて一体に形成されていることにより、押しボタン１１と傾斜部９ａとの位置精度を良くすることができるので、ドーム状金属板６，７の良好な動作特性を得ることができる。
【００４６】
また、前記押しボタン１１に可動ストッパ１１ｅが一体に形成され、前記ガイド体１０に前記可動ストッパ１１ｅを受け止めて前記操作部１１ｂの押圧操作に伴う前記押しボタン１１の移動を決められた位置で規制する固定ストッパ８が一体に形成されていることにより、ドーム状金属板６，７の過剰な押し下げを招く押しボタン１１の過剰な移動（オーバーストローク）を精度よく制限することができるので、ドーム状金属板６，７の良好な動作特性を得ることができる。
【００４７】
また、前記押し子９自体に前記傾斜部９ａより緩傾斜の傾斜を持たせていることにより、１段動作タイプでは傾斜部９ａを小さくしながら、押し子９に必要な動作ストロークを得られるようにし、一方、２段動作タイプでは傾斜部９ａを大きくすることなく、押し子９の動作ストロークを長くすることができる。
【００４８】
また、前記押し子９が前記可動ストッパ１１ｅと前記固定ストッパ８による前記押しボタン１１の移動規制時に前記ドーム状金属板６，７の設置面と略平行になることにより、押し子９がドーム状金属板６，７の動作状態をその設置面に対して略平行になる姿勢で保持できるので、高い接触信頼性を得ることができる。
【００４９】
さらに、本発明の一実施の形態による横押し型プッシュスイッチ１は、前記ドーム状金属板６，７をその動作方向に２段で設置したことこより、製品の厚みを厚くすることなく、２段動作タイプの横押し型プッシュスイッチを得ることができる。
【００５０】
よって、ドーム状金属板６，７の良好な動作特性を得ることができる小形、薄形で接触信頼性の高い横押し型プッシュスイッチを提供することができる。またドーム状金属板６，７の良好な動作特性を得ることができる小形、薄形で接触信頼性の高い２段動作タイプの横押し型プッシュスイッチを提供することができる。
【００５１】
以上、本実施の形態は本発明の好適な一実施の形態を示したが、本発明はそれに限定されることなく、その要旨を逸脱しない範囲内で種々変形実施することができるものである。
【図面の簡単な説明】
【００５２】
【図１】本発明の一実施の形態による横押し型プッシュスイッチの平面図である。
【図２】本発明の一実施の形態による横押し型プッシュスイッチの動作前の状態を示す断面図である。
【図３】本発明の一実施の形態による横押し型プッシュスイッチの組み立て図である。
【図４】（Ａ）はガイド体の平面図、（Ｂ）は（Ａ）のＡ−Ａ線断面図である。
【図５】（Ａ）はガイド体に押しボタンをセットした状態の平面図、（Ｂ）は（Ａ）の底面図、（Ｃ）は（Ａ）のＡ−Ａ線断面図である。
【図６】本発明の一実施の形態による横押し型プッシュスイッチの１段目のスイッチ動作後の状態を示す断面図である。
【図７】本発明の一実施の形態による横押し型プッシュスイッチの２段目のスイッチ動作後の状態を示す断面図である。
【符号の説明】
【００５３】
１  横押し型プッシュスイッチ
６  第１ドーム状金属板（第１可動接点）
７  第２ドーム状金属板（第２可動接点）
８  固定ストッパ
９  押し子
９ａ  傾斜部
９ｂ  ヒンジ部
９ｃ  押圧部
１０  ガイド体
１１  押しボタン
１１ｂ  操作部
１１ｄ  押し子押し下げ部
１１ｅ  可動ストッパ
【図１】
2008034329.tif 000003
【図２】
2008034329.tif 000004
【図３】
2008034329.tif 000005
【図４】
2008034329.tif 000006
【図５】
2008034329.tif 000007
【図６】
2008034329.tif 000008
【図７】
2008034329.tif 000009